(57)【要約】【課題】老朽化した法面保護工を新たなロックボルトの設置作業を伴うことなく補修可能な、施工性の良好な補修方法を提供する。【解決手段】ロックボルト１の頭部側に頭部部材２を螺合させて連結し、その頭部部材２の外面に形成した雌ネジに対して締付ナット６を螺合して法面上に設置する構造物１２を締付け固定するとともに、補修時には、前記頭部部材２の内部に形成した雌ネジに対して延長ボルト４を螺合させて連結し、さらに前記構造物１２上に補修用構造物１４を構築した上、前記延長ボルト４に対して締付ナット１６を螺合し、その延長ボルト４を介して補修用構造物１４を締付け固定することにより補修する。【選択図】図６
2011122412.tif 000002
【特許請求の範囲】
【請求項１】
ロックボルトの頭部側の雄ネジに対して頭部部材をその内部に形成した雌ネジを螺合させて連結し、該頭部部材の外面に形成した雌ネジに対して締付ナットを螺合して法面上に設置する構造物を締付け固定するとともに、補修時には、前記頭部部材の内部に形成した雌ネジに対して延長ボルトをその外面に形成した雄ネジを螺合させて連結し、さらに前記構造物上に補修用構造物を構築した上、前記延長ボルトの外面に形成した雄ネジに対して締付ナットを螺合して、その延長ボルトを介して補修用構造物を締付け固定することを特徴とする法面保護工の補修方法。
【請求項２】
前記頭部部材の内部に形成する雌ネジを該頭部部材を貫通させて形成し、その頭部部材の雌ネジの一側を前記ロックボルトの頭部側の雄ネジに螺合して該頭部部材をロックボルトに対して連結するとともに、補修時には、前記雌ネジの他側に前記延長ボルトをその外面に形成した雄ネジを螺入して連結するようにしたことを特徴とする請求項１に記載の法面保護工の補修方法。
【発明の詳細な説明】
【技術分野】
【０００１】
本発明は、法面の保護のために実施した法面保護工の老朽化などに対応するための補修方法に関する。
【背景技術】
【０００２】
図７〜図９はこの種の従来の法面保護工の補修方法を示したものである。図７は法面保護工における老朽化の状態を例示したものである。この例では、法面を形成する地盤１０１とロックボルト１０２に螺合した締付ナット１０３の下部の座金１０４との間に設置された法枠などの構造物１０５に老朽化によるクラック１０６が入った場合を例示したものである。このような場合、締付ナット１０３を外して老朽化した構造物１０５を交換するなどの補修を実施しようとすると、その補修作業の間、構造物１０５に対する締付ナット１０３の締付力がなくなるため、構造物１０５が不安定になるといった危険を招くおそれがあった。このため、従来の補修方法としては、図８に示したように地盤１０１に設置した既存の構造物１０５の上に補修用構造物１０７を構築し、その上で、図９に示したように新たなロックボルト１０８を設置して、このロックボルト１０８に螺合した締付ナット１０９により、座金１１０を介して補修用構造物１０７や既存の構造物１０５を締付け固定するという補修方法が知られている。しかしながら、この従来の補修方法の場合には、新たなロックボルト１０８の設置作業が付加されるため、施工性に問題があった。
【０００３】
さらに、他の従来の補修方法として、法面上にモルタルやコンクリートを吹付けたり打設して形成した既存の構造物より上方へ突出した位置に支持手段（受圧体）を備えたロックボルトを設置し、その既存の構造物上に新たな構造物を形成して、それらの既存の構造物と新たに形成する構造物との一体化を前記支持手段によって図るという補修方法も知られている（特許文献１参照）。しかしながら、この従来の補修方法の場合にも、既存の構造物上に突出する位置に支持手段を備えたロックボルトを設けるための設置作業が付加されるため、施工性に問題があった。
【先行技術文献】
【特許文献】
【０００４】
【特許文献１】実用新案登録第３１４８９２３号公報
【発明の概要】
【発明が解決しようとする課題】
【０００５】
本発明は、以上のような従来の技術的状況に鑑み、新たなロックボルトの設置作業を伴うことなく、老朽化した法面保護工の補修作業が可能な、施工性の良好な補修方法を提供することを目的とするものである。
【課題を解決するための手段】
【０００６】
本発明では、前記課題を解決するため、ロックボルトの頭部側の雄ネジに対して頭部部材をその内部に形成した雌ネジを螺合させて連結し、該頭部部材の外面に形成した雌ネジに対して締付ナットを螺合して法面上に設置する構造物を締付け固定するとともに、補修時には、前記頭部部材の内部に形成した雌ネジに対して延長ボルトをその外面に形成した雄ネジを螺合させて連結し、さらに前記構造物上に補修用構造物を構築した上、前記延長ボルトの外面に形成した雄ネジに対して締付ナットを螺合して、その延長ボルトを介して補修用構造物を締付け固定することにより、老朽化した法面保護工を補修するという技術手段を採用した。なお、前記頭部部材の内部に形成する雌ネジを該頭部部材を貫通させて形成し、その頭部部材の雌ネジの一側を前記ロックボルトの頭部側の雄ネジに螺合して該頭部部材をロックボルトに対して連結するとともに、補修時には、前記雌ネジの他側に前記延長ボルトをその外面に形成した雄ネジを螺入して連結するようにしてもよい。因みに、ここで構造物とは、法面上に設置される法枠や受圧板などの構造物を含む。
【発明の効果】
【０００７】
本発明に係る法面保護工の補修方法によれば、補修時に、その法面に設置された既存のロックボルトを活用し、既存のロックボルトの頭部側に連結された頭部部材に対して延長ボルトを螺合連結して、既存の構造物上に構築した補修用構造物を締付け固定するという技術手段を採用したので、従来の補修作業において必要とされた新たなロックボルトの設置作業を省略できることから、施工性が大幅に向上されるとともに、工事費の削減にも有効である。しかも、その補修作業において、既存の締付ナットを外す必要はないので、構造物が不安定になるといった危険も回避できる。
【図面の簡単な説明】
【０００８】
【図１】本発明における頭部部材と延長ボルトとの連結構造を例示した説明図である。
【図２】同連結構造における延長ボルト装着後の状態を示した説明図である。
【図３】本発明に係る補修作業の手順を示した作業説明図である。
【図４】同補修作業の手順を示した作業説明図である。
【図５】同補修作業の手順を示した作業説明図である。
【図６】同補修作業の手順を示した作業説明図である。
【図７】従来の法面保護工における老朽化の状態を例示した説明図である。
【図８】従来の補修作業の手順を示した作業説明図である。
【図９】同補修作業の手順を示した作業説明図である。
【発明を実施するための形態】
【０００９】
本発明は、ロックボルト側の具体的な構成に拘束されることはなく、種々の種類のロックボルトに対して広く適用することが可能である。また、法面上に設置される法枠や受圧板などの構造物の老朽化に対して広く適用することが可能である。本発明に適用される頭部部材の材質に関する特段の制約はなく、ステンレス棒鋼などで形成することも可能である。その頭部部材の内部に形成する雌ネジに関しては、該頭部部材を貫通させて形成し、その雌ネジの一側をロックボルトとの連結に使用し、他側を補修時における延長ボルトとの連結に使用するようにすれば、前記雌ネジの形成が単純化され、加工性の向上に有効である。また、頭部部材の途中まで両側から有底状に雌ネジを形成し、一側をロックボルトとの連結に使用し、他側を補修時における延長ボルトとの連結に使用することも可能であり、その場合に、両側の雌ネジの具体的な形態を変えることも可能である。なお、頭部部材の外面に形成する雄ネジは、その頭部部材の外周面の軸線方向の一部に形成するようにしてもよいし、全長に形成するようにしてもよい。
【実施例】
【００１０】
図１及び図２は本発明における頭部部材と延長ボルトとの連結構造を例示した説明図である。図１は延長ボルトを装着する前の状態を示した片側断面図であり、図２は延長ボルトの装着後の状態を示した片側断面図である。図示のように、本発明では、地盤に形成された設置孔内に設置されるロックボルト１の頭部側の雄ネジに対して頭部部材２をその内部に形成した雌ネジ３を螺合させて連結する連結構造を採用している。その頭部部材２の内部に形成する雌ネジ３は、本実施例の場合には、該頭部部材２を貫通した状態に形成してあり、その雌ネジ３の一側をロックボルト１との連結に使用し、他側を補修時における延長ボルト４との連結に使用する。また、頭部部材２の上部は、地盤より上方へ突出した状態に設置され、本実施例は、その頭部部材２の外面に形成された雄ネジ５に螺合した締付ナット６によって、受圧板７を締付け固定する場合を例示したものである。なお、本実施例では、頭部部材２の上半部に雄ネジ５を形成し、下半部の外面には外方へ突出したリブ８を形成して、その周囲に充填されるグラウト材との係合により頭部部材２をより的確に固定するように構成している。因みに、本実施例では、前記雌ネジ３を頭部部材２を貫通するように形成した場合を例示したが、前述のように、頭部部材２の両側から途中まで有底状に雌ネジを形成し、下側をロックボルト１との連結に使用し、上側を補修時における延長ボルト４との連結に使用する形態も可能である。
【００１１】
しかして、前記受圧板７の設置作業においては、図１に示したように、地盤に形成される削孔などの設置孔内に、ロックボルト１をその頭部側に頭部部材２を連結した状態に設置し、その地盤より上方へ突出した頭部部材２の上部に対して受圧板７を通した状態に設置する。しかる後、その受圧板７の上方へ突出した頭部部材２の雄ネジ５に対して締付ナット６を螺合し、受圧板７を地盤に対して締付け固定するとともに、受圧板７の下方のロックボルト１と設置孔の内壁との間の空間部へのグラウト材の充填が行われる。そして、補修作業に際して延長ボルト４を使用する場合には、図２に示したように、頭部部材２の内部に形成した雌ネジ３に対して延長ボルト４の外面に形成した雄ネジを螺合することにより、簡便に連結することができる。
【００１２】
次に、図３〜図６に例示した実施例に基づいて、本発明に係る補修作業の手順に関して説明する。図３は補修作業を実施する前の老朽化した法面保護工の状態を示したものである。図示のように、以下の本実施例では、本発明の適用例として、法面からなる地盤９に形成した削孔などの設置孔１０の内部に、前記ロックボルト１をその頭部側に前記頭部部材２を連結した状態で設置し、座金１１より上方へ突出した頭部部材２の雄ネジ５に対して締付ナット６を螺合して、その座金１１と地盤９との間に設置した法枠などの構造物１２を締付け固定することにより法面を保護する形態の法面保護工を、補修の対象とする場合を例示しながら説明することとする。なお、図中１３は老朽化により補修対象である既存の構造物１２に生じたクラックを示したものである。
【００１３】
図４は補修作業の第１段階を示したものである。図示のように、補修作業の第１段階では、既存のロックボルト１に装着した頭部部材２に対する延長ボルト４の連結作業を実施する。この延長ボルト４の頭部部材２に対する連結作業は、前記図１及び図２に基づいて説明したように、延長ボルト４の外面に形成した雄ネジを頭部部材２の内部に形成した雌ネジ３に螺合して締め込むことにより簡便に実施することができる。
【００１４】
図５は補修作業の第２段階を示したものである。所期のロックボルト１に対する前記延長ボルト４の連結作業が完了した場合には、この第２段階へ進み、補修対象である既存の構造物１２の上部へモルタルやコンクリートからなる補修用構造物１４を構築する。この場合、図示のように、補修用構造物１４の上方へ延長ボルト４の上部が突出するように施工する。因みに、この補修用構造物１４の構築に際して、既存の構造物１２の上面の清掃や部分補修、座金１１や締付ナット６の錆の除去、清掃などの補助作業を伴う場合もあることはいうまでもない。
【００１５】
図６は補修作業の第３段階を示したものである。上述の第２段階で既存の構造物１２の上部へ構築したモルタルやコンクリートからなる補修用構造物１４が固化した場合には、この第３段階へ進み、図示のように補修用構造物１４の上面に座金１５を設置した上、上方へ突出した前記延長ボルト４に対して締付ナット１６を螺合し、補修用構造物１４を締付け固定することにより、補修作業が完了することになる。
【００１６】
以上のように、本発明に係る法面保護工の補修方法によれば、既存のロックボルト１の頭部側に装着した頭部部材２に対する延長ボルト４の連結（第１段階）、既存の構造物１２上への補修用構造物１４の構築（第２段階）、補修用構造物１４より上方へ突出した延長ボルト４に対する締付ナット１６の螺合及びその締付ナット１６による補修用構造物１４の締付け（第３段階）という、既存のロックボルト１を活用した３段階からなる簡便な補修作業によって、補修対象である老朽化した法面保護工の補修が可能である。すなわち、従来技術のように新たなロックボルトの設置作業を伴うことなく補修作業が可能なことから、施工性を大幅に向上できるとともに、工事費の削減にも有効であり、しかも、その補修作業において、既存の締付ナットを外す必要はないことから、構造物が不安定になるといった危険も回避できる。因みに、締付ナット１６による補修用構造物１４の締付けにより、その補修用構造物１４の下方に位置する既存の構造物１２も間接的に締付け固定されることになる。
【符号の説明】
【００１７】
１：ロックボルト、２：頭部部材、３：雌ネジ、４：延長ボルト、５：雄ネジ、６：締付ナット、７：受圧板、８：リブ、９：地盤、１０：設置孔、１１：座金、１２：既存の構造物、１３：クラック、１４：補修用構造物、１５：座金、１６：締付ナット
【図１】
2011122412.tif 000003
【図２】
2011122412.tif 000004
【図３】
2011122412.tif 000005
【図４】
2011122412.tif 000006
【図５】
2011122412.tif 000007
【図６】
2011122412.tif 000008
【図７】
2011122412.tif 000009
【図８】
2011122412.tif 000010
【図９】
2011122412.tif 000011